(57)【要約】【課題】柱材と横架材などの軸材同士を接合する接合金物において、荷重を効果的に分散できるようにして固定強度を高める。【解決手段】軸材の長手方向の端に取り付けられる基部１２と、基部１２における軸材の端面に当接する当接面１２ａに設けられて軸材の長手方向に延びる差込部１３を備える。基部１２に、別体の取り付け部材を挿通する挿通穴１２ｃまたは取付け部材が螺合するねじ穴１２ｂの少なくとも一方を設ける。また基部１２は、差込部１３の長手方向に沿って隙間をあけて配設された複数枚の支持板１４と、差込部１３から延設されるとともに差込部１３と一体で支持板１４間を離間保持する離間保持部１５で構成し、差込部１３にかかる荷重を複数枚の支持板１４に分散させる。【選択図】図１
2020076228.tif 000002
【特許請求の範囲】
【請求項１】
木造軸組建築物を構成する線部材と同等の軸材の長手方向の端に取り付けられる基部と、
前記基部における前記軸材の端面に当接する当接面に設けられて前記軸材の長手方向に延びる差込部を備え、
前記基部に別体の取り付け部材を挿通する挿通穴または前記取り付け部材が螺合するねじ穴の少なくとも一方が設けられ、
前記基部が、前記差込部の長手方向に沿って隙間をあけて配設された複数枚の支持板と、
前記差込部から延設されるとともに前記差込部と一体で前記支持板間を離間保持する離間保持部で構成された
接合金物。
【請求項２】
前記基部の前記当接面が前記軸材の断面形状よりも小さく形成され、前記軸材の長手方向の端に対して相対変位不可に埋設されるものである
請求項１に記載の接合金物。
【請求項３】
前記基部の前記当接面が前記軸材の長手方向の最も外側の端面に突き合わせられるものである
請求項１に記載の接合金物。
【請求項４】
前記基部が全体として立方体または直方体をなす六面体であり、
前記当接面を複数備えた
請求項３に記載の接合金物。
【請求項５】
請求項１から請求項４のうちいずれか一項に記載の接合金物を備えた
建築用パネル。
【発明の詳細な説明】
【技術分野】
【０００１】
この発明は、例えば木造軸組建築物における柱や横架材などの軸材を接合するための接合金物に関する。
【背景技術】
【０００２】
接合金物としては、下記特許文献１に開示されたものが知られている。
【０００３】
この接合金物は、一枚の金属板で平面視コ字状に形成され、柱の側面に取り付けられる縦長の長方形板状の柱取り付け部片と、柱取り付け部片の左右両側から平行に延びる一対の横架材取り付け部片を有している。柱取り付け部片には、締付けボルトを挿通する透孔が、横架材取り付け部片にはドリフトピンを挿通する透孔が、それぞれ形成されている。接合金物は、柱材取り付け部片が締付けボルトで柱に固定された後、横架材取り付け片部にドリフトピンを用いて横架材の端部が固定される。
【０００４】
このような構成の接合金物では、横架材取り付け部片に掛かる荷重を柱取り付け部片で支持することになるが、前述のように柱取り付け部片は、一枚の板材からなる部位であって、柱の側面に締付けボルトで固定されている。このため、強大な荷重によって例えば柱と横架材との間に相対変位が生じる際には、透孔や締付けボルト部分に荷重が集中して、接合金物の破断や脱落のおそれがある。
【先行技術文献】
【特許文献】
【０００５】
【特許文献１】特開２００１−２７１４２６号公報
【発明の概要】
【発明が解決しようとする課題】
【０００６】
この発明は、荷重を効果的に分散できるようにして固定強度を高めることを主な目的とする。
【課題を解決するための手段】
【０００７】
そのための手段は、木造軸組建築物を構成する線部材と同等の軸材の長手方向の端に取り付けられる基部と、前記基部における前記軸材の端面に当接する当接面に設けられて前記軸材の長手方向に延びる差込部を備え、前記基部に別体の取り付け部材を挿通する挿通穴または前記取り付け部材が螺合するねじ穴の少なくとも一方が設けられ、前記基部が、前記差込部の長手方向に沿って隙間をあけて配設された複数枚の支持板と、前記差込部から延設されるとともに前記差込部と一体で前記支持板間を離間保持する離間保持部で構成された接合金物である。
【０００８】
この構成では、基部を構成する複数枚の支持板が差込部と一体の離間保持部で離間保持されているため、基部に荷重がかかるときには、荷重は複数枚の支持板を通して分散される。
【発明の効果】
【０００９】
この発明では、基部に複数の支持板を備えたことにより多くの接点を設けることができ、これらの接点を通して荷重が分散されるので、接合金物の固定強度を高めることができる。固定強度を高められることから、固定強度が同程度の接合金物に比べて、接合金物の小型化や簡素化も図れる。
【図面の簡単な説明】
【００１０】
【図１】引き寄せ接合金物の斜視図。
【図２】枠パネルの正面図。
【図３】枠パネルとその使用態様を示す斜視図。
【図４】枠パネルの使用態様を示す斜視図。
【図５】引き寄せ接合金物の分解斜視図。
【図６】横軸材及び縦軸材の斜視図。
【図７】引き寄せ接合金物を固定した横軸材または縦軸材の端部の平面図。
【図８】引き寄せ接合金物の斜視図。
【図９】枠パネルの一部拡大正面図。
【図１０】コーナ接合金物の斜視図。
【図１１】コーナ接合金物の斜視図。
【図１２】軸パネルの正面図。
【図１３】軸パネルとその使用態様を示す斜視図。
【図１４】軸パネルの使用態様を示す斜視図。
【図１５】コーナ接合金物の分解斜視図。
【図１６】図１０のＡ−Ａ断面図。
【図１７】コーナ接合金物を固定した軸材の端部の一部断面平面図。
【図１８】大型の軸パネルの正面図。
【図１９】大型の軸パネルの正面図。
【図２０】大型の軸パネルの正面図。
【図２１】大型の軸パネルの正面図。
【図２２】図２１に示した大型の軸パネルの接続部分の拡大図。
【発明を実施するための形態】
【００１１】
この発明の接合金物は、木造軸組建築物を構築するための軸材の接合に使用されるものであり、木造軸組建築物を構成する線部材と同等の軸材の長手方向の端に取り付けられる基部と、基部における軸材の端面に当接する当接面に設けられて軸材の長手方向に延びる差込部を備えている。接合金物の基部の形態や差込部の数などは、適用箇所に応じて適宜設定される。
【００１２】
前述の軸材とは、軸組を構成する柱や梁、土台などの線部材のほか、このような線部材と材料や断面形状、大きさが同一である部材や、断面形状における縦横の一方が同一で他方が同じ程度の大きさの部材など、線部材に相当する強度を持つ部材を指す。ここでは、軸組を構成する線部材と、その他の同等の部材を総称して軸材という。
【００１３】
この発明を実施するための一形態を、以下図面を用いて説明する。
【００１４】
図１に示した接合金物１１は、軸材の側面に他の軸材の端面を接合するのに適したものであり、対向部位に引き寄せられる引き寄せ接合金物１１ａである。
【００１５】
図２は、その引き寄せ接合金物１１ａを用いた建築用パネル５１の一例を示す正面図である。引き寄せ接合金物１１ａは、軸材の端部に全体が埋設された状態で内蔵されて、軸材の接合に供される。
【００１６】
まずに、建築用パネル５１について説明し、続いて引き寄せ接合金物１１ａについて説明する。
【００１７】
図２に示した建築用パネル５１は、木造軸組建築物を構成するためのものであり、より詳しくは、木造軸組建築物を構築したときに耐力壁を構成できる耐力パネルとして使用されるものである。この建築用パネル５１は、当該建築用パネル５１の外周に位置する外周フレーム５２と、外周フレーム５２の内側で水平方向に延びる水平補強部５３と、外周フレーム５２の内側で水平補強部５３を支える垂直補強部５４を有している。
【００１８】
水平補強部５３は、木造軸組建築物の軸組を構成する線部材８１（図３参照）と同等の軸材からなり横に延びる横軸材５５と、横軸材５５と外周フレーム５２の対向部位との間に保持される面材５６で構成されている。垂直補強部５４は、軸組を構成する線部材８１（図３参照）と同等の軸材からなり縦に延びる縦軸材５７と、縦軸材５７と外周フレーム５２の対向部位との間に保持される面材５８で構成されている。
【００１９】
この建築用パネル５１は、外周フレーム５２が、軸組を構成する線部材８１よりも細い枠材５９からなり、外周フレーム５２が軸組を構成する線部材８１の間に嵌め込まれる枠パネル５１ａである（図３、図４参照）。枠材５９は、線部材８１の半分以下の太さであり、具体的には、断面形状の縦横の一方が同一で、他方が半分以下の大きさである。数値をあげると、線部材８１が縦横１０５ｍｍである場合に、枠材５９の断面形状は縦１０５ｍｍで、横が例えば２７ｍｍ程度に設定される。
【００２０】
建築用パネル５１の一例としての、図２に示した枠パネル５１ａにおける外周フレーム５２は、４本の枠材５９で構成されている。これらの枠材５９は、左右両位置で上下に延びる２本の縦枠材５９ａと、上で左右に延びる上枠材５９ｂ、下で左右に延びる下枠材５９ｃである。枠パネル５１ａの枠材５９は、長手方向の端部を互いに重ね合わせて固定されている。
【００２１】
水平補強部５３は、縦枠材５９ａの上部位置で上枠材５９ｂと平行に延びる前述の横軸材５５と、この横軸材５５と上枠材５９ｂとの間に保持された前述の面材５６と、横軸材５５と上枠材５９ｂの長手方向の中間位置でこれらの間をつなぐ束材６１で構成されている。横軸材５５の長さは、縦枠材５９ａ間にかけ渡される長さであって、水平補強部５３は、外周フレーム５２内の幅全体にわたって形成されている。
【００２２】
束材６１の断面形状とその大きさは、横軸材５５と同じである。備える束材６１の本数と間隔は、横軸材５５の長さに応じて適宜設定される。水平補強部５３の高さ、つまり上枠材５９ｂと横軸材５５との間隔も適宜設定し得る。
【００２３】
左右の縦枠材５９ａと上枠材５９ｂの内周側の面における奥行き方向の中間位置には、面材５６の外周縁を嵌め込む溝（図示せず）が形成されている。面材５６には構造用合板が使用でき、面材５６の厚さは内周側の面に収まる厚さであり、例えば１０５ｍｍの内側面に対して９ｍｍ程度に設定されるとよい。
【００２４】
面材５６における束材６１の左右両側面と横軸材５５の上面に対向する外周縁には、これらに当接する当接面部５６ａが形成されている。換言すれば、面材５６の大きさは、上枠材５９ｂと縦枠材５９ａに対向する外周縁が溝に嵌るとともに、束材６１の左右両側面と横軸材５５の上面に対向する端面がこれらに接する大きさに設定されている。このような面材５６の束材６１や横軸材５５に対する保持は、面材５６の表裏両面を挟む挟持材６２で行われる。つまり、当接面部５６ａを挟持材６２で挟み付けるとともに、挟持材６２は束材６１や横軸材５５に対して固定される。挟持材６２の固定は、図示しない釘やねじ等で行われる。
【００２５】
束材６１の断面形状における中央に対応する部位には、上枠材５９ｂから横軸材５５にかけてボルト６３が串刺し状態に挿入されて、上枠材５９ｂと束材６１と横軸材５５が結合一体化されている。
【００２６】
水平補強部５３における横軸材５５の長手方向の両端部に、対向部位である縦枠材５９ａに引き寄せられる前述の引き寄せ接合金物１１ａが内蔵されている。
【００２７】
垂直補強部５４は、水平補強部５３を下から支えるものであり、枠パネル５１ａにおる左右方向の一方に形成されている。具体的には図２の垂直補強部５４は、図面左側に形成されており、縦枠材５９ａと平行に延びて横軸材５５と下枠材５９ｃとの間に介在する縦軸材５７と、この縦軸材５７と縦枠材５９ａとの間に保持された面材５８で構成されている。垂直補強部５４は縦軸材５７のみで構成することもできる。このような垂直補強部５４の基本的な構成は、水平補強部５３と同じであるので、詳しい説明を省略する。垂直補強部５４の幅、つまり縦枠材５９ａと縦軸材５７との間隔は適宜設定し得ることも、水平補強部５３の場合と同じである。
【００２８】
ただし、水平補強部５３の長手方向が水平方向であるのに対して、垂直補強部５４の長手方向が垂直方向であるので、水平補強部５３の束材６１に代えて、貫材６４を備えている。名称と向きが異なるだけで、貫材６４の構成は束材６１と同じである。図２の例では、ボルトを描いていないが、ボルト（図示せず）を用いて縦枠材５９ａと貫材６４と縦軸材５７を一体化してもよい。図中、６５は挟持材である。
【００２９】
縦軸材５７の端にも、水平補強部５３の横軸材５５の場合と同様に、対向部位に引き寄せられる前述の引き寄せ接合金物１１ａが内蔵される。それら引き寄せ接合金物１１ａのうち、横軸材５５に接する側に内蔵される引き寄せ接合金物１１ａには、横軸材５５に挿入されたボルト６６が螺合され、縦軸材５７と横軸材５５が直交した状態で固定される。
【００３０】
また、図２の枠パネル５１ａは、上下方向（縦方向）の中間部に開口部６７を有している。開口部６７を形成する開口部形成位置の上端位置と下端位置には、水平方向に延びる水平材６８が架設される。上端位置の水平材６８と横軸材５５の間と、下端位置の水平材６８と下の下枠材５９ｃの間には、縦に延びる間柱材６９が適宜備えられる。
【００３１】
さらに、横軸材５５と縦軸材５７と縦枠材５９ａと下枠材５９ｃで構成される方形の四隅部分には、必要に応じて補強材７０が固定される。補強材７０は、横軸材５５、縦軸材５７、縦枠材５９ａまたは下枠材５９ｃの内側面に固定されるとともに互いに直角に組まれる２枚の基板７０ａと、基板７０ａの面方向と直交する方向に広がって基板７０ａの内側面間に固定される角度保持材７０ｂで構成されている。角度保持材７０ｂは、直角をなす直角部を有しており、直角部が基板７０ａ同士の接合部分に固定されている。
【００３２】
つづいて、前述の引き寄せ接合金物１１ａについて説明する。引き寄せ接合金物１１ａは、前述のように対向部位に引き寄せられるものであり、図５にその分解斜視図を示す。
【００３３】
図１、図５に示したように、引き寄せ接合金物１１ａは、横軸材５５や縦軸材５７の長手方向の端に取り付けられる基部１２と、基部１２における横軸材５５や縦軸材５７の端面に当接する当接面１２ａに設けられて横軸材５５や縦軸材５７の長手方向に延びる差込部１３を備えている。基部１２には、別体の取り付け部材を挿通する挿通穴と取り付け部材が螺合するねじ穴が設けられる。取り付け部材とは、目的に応じて取り付けられる部材であり、取り付け部材としては、例えば結合のためのボルトなどがある。また基部１２は、差込部１３の長手方向に沿って隙間をあけて配設された複数枚の支持板１４と、差込部１３から延設されるとともに差込部１３と一体で支持板１４間を離間保持する離間保持部１５で構成されている。
【００３４】
具体的には、引き寄せ接合金物１１ａの差込部１３と離間保持部１５は一枚の金属板１６で構成されており、差込部１３は横軸材５５や縦軸材５７の内部に収まる大きさで適宜形状をなす板状である。図１、図５、図６に示す例では、差込部１３は略三角形状である。差込部１３には、横軸材５５や縦軸材５７との結合のためのドリフトピン１７（図６参照）を挿入するための貫通穴１３ａが形成されている。貫通穴１３ａの数や配置は、差込部１３の形状や大きさに応じして適宜設定される。なお、差込部１３は、前述のような板状ではなく、たとえば筒状などの立体形状であってもよい。
【００３５】
差込部１３における離間保持部１５に寄った部位における中央位置には、離間保持部１５の端から入り込む切り欠き部１３ｂが形成されている。切り欠き部１３ｂは、取り付け部材の存在を許容するためもの部分であり、切り欠き部１３ｂの形状は適宜設定される。図１、図２、図５、図６に示す例の切り欠き部１３ｂは、半長円形状である。
【００３６】
差込部１３と一体の離間保持部１５は、外側縁に形成された２つの段差部１５ａ，１５ｂを有する。内側には、切り欠き部１３ｂから連続してナット１８を保持するナット保持空間１５ｃを有する。ナット１８は、前述したねじ穴を設けるための部材であり、ナット１８の内部のねじ穴１８ａが、基部１２のねじ穴１２ｂとなる。
【００３７】
基部１２を構成する支持板１４は、前述の段差部１５ａ，１５ｂの数と同じ２枚であり、支持板１４の形状は長方形板状である。基部１２の当接面１２ａの大きさ、換言すれば支持板１４の大きさは、横軸材５５や縦軸材５７の断面形状よりも小さく形成されている。具体的には、支持板１４の長辺の長さが横軸材５５や縦軸材５７の対応する部位の長さと同じであり、短辺の長さが横軸材５５や縦軸材５７の対応する部位の長さよりも短い。２枚の支持板１４は、差込部１３に近い側に位置して前述の当接面１２ａを有することになる一方の支持板１４ａと、横軸材５５や縦軸材５７の最も外側に位置する外側端面５５ａ，５７ａと面一または面一よりも若干奥まって位置することになる他方の支持板１４ｂである。
【００３８】
一方の支持板１４ａと他方の支持板１４ｂの中央には、前述のナット１８のねじ穴１８ａに対応する貫通穴１９が形成されており、貫通穴１９よりも外側であって長辺に沿って並ぶ両位置に、段差部１５ａ，１５ｂが嵌る大きさのスリット状の挿通溝２０が形成されている。一方の支持板１４ａの挿通溝２０のほうが、他方の支持板１４ｂの挿通溝２０よりも段差部１５ａ，１５ｂの段差分長く形成されている。
【００３９】
ナット１８のねじ穴１８ａが、基部１２における前述のねじ穴１２ｂになり、各支持板１４ａ，１４ｂに形成された貫通穴１９が、基部１２における前述の挿通穴１２ｃになる。
【００４０】
支持板１４を備えた基部１２の大きさは、横軸材５５や縦軸材５７の長手方向の端に対して相対変位不可に埋設される大きさに設定される。すなわち、引き寄せ接合金物１１ａを内蔵した横軸材５５と縦軸材５７の端部の平面図である図７に示したように、基部１２は横軸材５５と縦軸材５７の端部に形成された座彫り部５５ｂ，５７ｂに嵌合対応する大きさである。言い換えれば、支持板１４の幅は座彫り部５５ｂ，５７ｂの幅に嵌合対応する大きさである。
【００４１】
なお、座彫り部５５ｂ，５７ｂの内部には、外側端面５５ａ，５７ａと平行な内側端面５５ｃ，５７ｃが形成されており、この内側端面５５ｃ，５７ｃが、基部１２の当接面１２ａ、つまり一方の支持板１４ａの差込部１３側の面が当たる端面である。平行に並ぶ２枚の支持板１４ａ，１４ｂの外側縁は、座彫り部５５ｂ，５７ｂの内部の側面に接触している。
【００４２】
差込部１３及び離間保持部１５を有する金属板１６ａと、ナット１８と、２枚の支持板１４は、溶接等により結合一体化される。
【００４３】
引き寄せ接合金物１１ａは、前述のナット１８に代えて図８に示したように筒部材２１を固定して、基部１２に挿通穴１２ｃのみを備えたものとしてもよい。また、図示は省略するが、支持板１４にもねじ穴を設けてねじ穴のみを備えた基部１２を形成することもできる。
【００４４】
以上のように構成された引き寄せ接合金物１１ａは、例えば横軸材５５や縦軸材５７の端部の座彫り部５５ｂ，５７ｂに嵌め込んでから、差込部１３の貫通穴１３ａにドリフトピン１７を差し込んで横軸材５５や縦軸材５７に対して固定したのち（図７参照）、その横軸材５５や縦軸材５７内の引き寄せ接合金物１１ａのねじ穴１２ｂにボルト６６を螺合して引き付けて、横軸材５５や縦軸材５７の接合を行う。接合の手順は前述とは逆でもよい。
【００４５】
すると、図９に示したように、横軸材５５や縦軸材５７の端部がボルト６６を挿通した枠材５９や横軸材５５に向けて引き付けられることになる。
【００４６】
このような接合状態において、基部１２を構成する２枚の支持板１４が差込部１３と一体の離間保持部１５で離間保持されており、基部１２にかかる荷重は、離間保持部１５を介して２枚の支持板１４に分散される。しかも、２枚の支持板１４は離間保持部１５で間隔をあけて保持されているので、荷重の分散が良好に行える。
【００４７】
このため、過大な負荷が局所的にかかることを抑制し、引き寄せ接合金物１１ａの固定強度を高めることができる。また、固定強度を高められるので、固定強度が同程度の接合金物に比べて、引き寄せ接合金物１１ａの小型化や簡素化を図ることができる。さらに、小型化を図れる引き寄せ接合金物１１ａは、全体が横軸材５５や縦軸材５７に埋設される構成であるので、横軸材５５や縦軸材５７内に隠ぺいすることも可能である。
【００４８】
前述した構成の建築用パネル５１としての枠パネル５１ａでは、上端部に備えられた水平補強部５３が、横軸材５５と面材５６とによりせん断や曲げに対する耐力を発揮し、垂直補強部５４が水平補強部５３を支えて、柱にかかる負担を軽減する。このため、木造軸組建築物を構築した場合に強度の高い耐力壁を構成することができる。このような有用な枠パネル５１ａの横軸材５５と縦軸材５７を、前述したように固定強度高い引き寄せ接合金物１１ａで接合するので、枠パネル５１ａをより良いものとすることができる。
【００４９】
以上説明した引き寄せ接合金物１１ａは、外周フレーム５２が線部材８１よりも強度の低い枠材５９からなる建築用パネル５１としての枠パネル５１ａの軸材（横軸材５５、縦軸材５７）の接合に適したものであるが、これは、軸組の線部材８１同士の接合にも使用できる。
【００５０】
このように、建築用パネル５１の形成のほか、軸組の線部材８１同士の接合にも好適に使用できる接合金物１１の他の例を、次に説明する。次に説明する接合金物１１は１個で３本以上の軸材を接続できるものである。
【００５１】
図１０、図１１に、その接合金物１１の斜視図を示す。この接合金物１１は、建築用パネル５１の形成においては、図１２に示したような軸パネル５１ｂの形成に用いられる。軸パネル５１ｂは、前述した外周フレーム５２として、線部材８１に相当する強度を有する軸材７１を備えた軸パネル５１ｂであり、接合金物１１は、軸パネル５１ｂの角部に設けられるコーナ接合金物１１ｂである。
【００５２】
軸パネル５１ｂは、外周フレーム５２が、軸組を構成する線部材８１と同等の軸材７１からなり、外周フレーム５２が軸組を構成する線部材８１として組み立てられる構成である（図１３、図１４参照）。つまり、軸材７１は、木造軸組建築物が構築されるとその木造軸組建築物の線部材８１となる。軸材７１は、線部材８１と同等の太さであり、具体的には、断面形状の縦横の大きさが同一、または縦横の一方が同一で他方が同じ程度の大きさである。数値をあげると、柱や土台として用いられる線部材８１が縦横１０５ｍｍであり、梁として用いられる線部材が縦横１２０ｍｍ×１０５ｍｍである場合に、軸材７１の断面形状は縦横１０５ｍｍに設定される。
【００５３】
図１３の軸パネル５１ｂにおける外周フレーム５２は、あらかじめ全周に形成される場合には、４本の軸材７１と４隅のコーナ接合金物１１ｂで構成される。換言すれば、軸パネル５１ｂは、４本の軸材７１と４隅のコーナ接合金物１１ｂのうちの少なくとも一つの部材を外周にあらかじめ備えている。外周フレーム５２が初めから全周に形成されるものではない場合には、軸材７１とコーナ接合金物１１ｂが、隣接する軸パネル５１ｂ間で互いに補完しあうように配設されることになる。
【００５４】
４本の軸材７１は、左右両位置で上下に延びる２本の縦軸材７１ａと、上で左右に延びる上軸材７１ｂ、下で左右に延びる下軸材７１ｃである。各軸材７１は、端部の角が互いに接して端部が互いに重なり合わない長さに設定されている。コーナ接合金物１１ｂは、前述のような長さの軸材７１により生じる角を埋めるように軸材７１の直角をなす端面同士を接合するものである。また、コーナ接合金物１１ｂは、隣り合う軸パネル５１ｂ同士を接合する機能も有している。
【００５５】
図１２の軸パネル５１ｂは、それぞれ外周フレーム５２の太さが異なるだけで、その他の部位は図２の枠パネル５１ａと同じ構成である。つまり、図１２の軸パネル５１ｂにおける外周フレーム５２に囲まれた部分の構成は、図２の枠パネル５１ａのそれと同一である。
【００５６】
なお、図１２に例示した軸パネル５１ｂは、厳密にいえば、図２の枠パネル５１ａについて外周フレーム５２も含めたすべての部分を軸材７１からなる外周フレーム５２で囲んだ構成である。つまり、軸パネル５１ｂの外周フレーム５２は、枠パネル５１ａの枠材５９を含めたもの、換言すれば枠材５９と軸材７１が重なり合って構成されたものといえることになる。しかし軸パネル５１ｂの外周フレーム５２は、枠材５９なしでも構成できる。つまり、軸材７１からなる外周フレーム５２は、軸材７１と枠材５９で構成されるほか、軸材７１のみで構成されることもある。
【００５７】
図１２の軸パネル５１ｂの説明について、図２の枠パネル５１ａと同一の部位には同一の符号を付して、その詳細を省略する。
【００５８】
つぎに、コーナ接合金物１１ｂについて説明する。
【００５９】
コーナ接合金物１１ｂは、前述した引き寄せ接合金物１１ａと同じで、軸組の線部材８１、換言すれば軸材７１の長手方向の端に取り付けられる基部１２と、基部１２における軸材７１の端面に当接する当接面１２ａに設けられて軸材７１の長手方向に延びる差込部１３を備えている。基部１２には、別体の取り付け部材を挿通する挿通穴または取り付け部材が螺合するねじ穴が設けられる。取り付け部材は、目的に応じて取り付けられる部材であり、取り付け部材としては、例えば結合のためのボルトや、支持のための柱脚部材、吊り下げのための吊り部材などがある。また基部１２は、差込部１３の長手方向に沿って隙間をあけて配設された複数枚の支持板１４と、差込部１３から延設されるとともに差込部１３と一体で支持板１４間を離間保持する離間保持部１５で構成されている。
【００６０】
特に、基部１２の当接面１２ａは、軸組の線部材８１となる軸材７１の長手方向の最も外側の端面７１ｅに突き合わせて固定されるものである。コーナ接合金物１１ｂの基部１２は、図１０、図１１の斜視図に示したように、全体として立方体または直方体をなす六面体である。図１５にコーナ接合金物１１ｂの分解斜視図、図１６に、図１０におけるＡ−Ａ切断図を示す。
【００６１】
基部１２が六面体であるコーナ接合金物１１ｂは、使用する部位に応じて１個から６個の当接面１２ａを有するものとすることができる。図１０、図１１、図１６、図１７に例示したコーナ接合金物１１ｂは、実線で示したように互いに隣り合う３つの当接面１２ａと、これらの当接面１２ａに設けられた３本の差込部１３を有するものであり、仮想線で示したように当接面１２ａと差込部１３の数を適宜増やしてもよい。
【００６２】
コーナ接合金物１１ｂの３つの差込部１３とその離間保持部１５は、互いに組み合わせて結合一体化される２枚の金属板で構成されており、差込部１３は軸材７１の内側に収まる大きさで適宜形状をなす板状である。図１０、図１１、図１６、図１７に示す例では、差込部１３は先端を丸めた短冊状である。差込部１３には、軸材７１との結合のためのドリフトピン１７（図１７参照）を挿入するための貫通穴１３ａが形成されている。貫通穴１３ａの数や配置は、差込部１３の形状や大きさに応じて適宜設定される。なお差込部１３は、前述のような板状ではなく、たとえば筒状などの立体形状であってもよい。
【００６３】
差込部１３と一体の離間保持部１５は、外側縁に形成された複数の段差部１５ａ，１５ｂ，１５ｄ，１５ｅを有する。１本の差込部１３を有するＩ型の金属板２５は、離間保持部１５における差込部１３側の端に外側の一方に突出する突起１５ｈを形成することで、一つの段差部１５ａを形成している。またＩ型の金属板２５の離間保持部１５における長手方向の中間位置には、他方の金属板が嵌合対応するスリット状の切れ溝１５ｉからなる一つの段差部１５ｂが形成されている。
【００６４】
他方の金属板は、互いの間が直角をなす角度に配設された２本の差込部１３を有するＬ型の金属板２６である。離間保持部１５における差込部１３側の端には、外側の双方に突出する凸部１５ｊを形成することで一組の段差部１５ｄが形成されている。またＬ字型の金属板２６の離間保持部１５における差込部１３と反対側の端に外側の双方に突出する凸部１５ｋを有することで一組の段差部１５ｅが形成されている。これら凸部１５ｊ，１５ｋを有する離間保持部１５は、略方形板状である。離間保持部１５の中央には、Ｉ型の金属板２５を差し込む差込溝１５ｍが形成されており、差込溝１５ｍの一方の端部は、Ｉ型の金属板２５の切れ溝１５ｉからなる段差部１５ｂが係止する部分である。さらに、離間保持部１５の差込溝１５ｍの一方の端部、換言すればＩ型の金属板２５の突起１５ｈで形成される段差部１５ａに対応する側の端部に隣接する部位には、切り欠き１５ｎが形成されている。この切り欠き１５ｎは、ボルトなどの締結具の存在を許容する部位であり、適宜の形状に形成される。
【００６５】
コーナ接合金物１１ｂの基部１２は、Ｉ型とＬ型の２枚の金属板２５，２６の離間保持部１５と、六面体の外郭を構成する６枚の支持板１４で構成される。
【００６６】
Ｉ型の金属板２５の差込部１３を突出させることになる支持板１４ａは、長方形板状であり、中央にその長辺と平行なスリット状の差込溝２７が形成されている。差込溝２７は差込部１３に嵌合対応する大きさである。
【００６７】
この支持板１４ａを含めて、Ｉ型の金属板２５の長手方向と直交し、また平行になる４枚の支持板１４ａはすべて長方形板状であり、中央に差込溝２７が形成されている。
【００６８】
長方形をなす４枚の支持板１４の長手方向の両端に固定される２枚の支持板１４ｂは、正方形の４つの角を円弧状に切り欠いた形の板状である。これら２枚の支持板１４ｂのうちＬ型の金属板２６の差込部１３を差し込むことになる一方の支持板１４ｂの中央には、スリット状の差込溝２８が形成されている。差込溝２８を有する支持板１４ｂと対をなす他方の支持板１４ｂの中央には、取り付け部材を挿通する挿通穴２９が形成されている。この挿通穴３１は、組み立てられた基部１２の挿通穴１２ｃになる部分であって、ボルトなどの締結具や、土台を受けて設置面上に浮かせて支持する柱脚金物、軸パネル５１ｂや木造軸組建築物を吊り下げるための吊り部材などの取り付け部材を固定したりするのに利用される。
【００６９】
長方形板状の４枚の支持板１４ａの短辺の長さは、正方形の４つの角を切り欠いた形の支持板１４ｂの外周縁に位置して直線からなる４本の辺に対応する長さである。このため、完全な立方体または直方体をなすと仮想した場合の基部１２のすべての角と、一定方向に並ぶ２つの角同士をつなぐ４つの辺部位には、内部を開放する隙間が形成されることになる。この隙間は、前述した取り付け部材の取り付けなどに際して利用できる作業空間となる。
【００７０】
また、長方形板状の４枚の支持板１４ａのうち、差込部１３を有しないすべての支持板１４ａには、図１１、図１５に示したように取り付け部材を挿通する挿通穴３１が形成されている。この挿通穴３１は、組み立てられた基部１２の挿通穴１２ｃになる部分である。この場合の取り付け部材は主としてボルトなどの締結具である。挿通穴３１の形成位置は適宜設定される。前述した挿通穴２９を有する支持板１４ｂを備えているので、６面ある基部１２のすべての面のうち、差込部１３を有しないすべての面に挿通穴２９，３１，１２ｃが形成されることになる。
【００７１】
このような各部材からなるコーナ接合金物１１ｂは、まず、Ｉ型の金属板２５をＬ型の金属板２６の差込溝１５ｍに差し込んで切れ溝１５ｉからなる段差部１５ｂを係止し、この組み立て状態において溶接等で結合一体化する。つぎに、２枚の金属板２５，２６の差込部１３や差込部１３と反対側の端部に支持板１４ａ，１４ｂの差込溝２７，２８を挿嵌するなどして６枚の支持板１４でＩ型の金属板２５とＬ型の金属板２６の離間保持部１５を包囲して、この状態を溶接等で結合一体化して保持する。
【００７２】
このような構成のコーナ接合金物１１ｂでは、差込部１３を有する各金属板２５，２６の離間保持部１５は、他の差込部１３にとっては支持板１４としての機能を有する。
【００７３】
すなわち、図１６に示したように、Ｉ型の金属板２５の差込部１３には、基部１２の外郭を構成する長方形板状の２枚の支持板１４ａと、これらの間に位置するＬ型の金属板２６の離間保持部１５が主として荷重を分散する支持板１４として機能する。また、Ｌ型の金属板２６の２本の差込部１３のうち、Ｉ型の金属板２５の差込部１３と直角をなす差込部１３にとっては、この差込部１３の長手方向に並ぶ長方形をなす２枚の支持板１４ａと、Ｉ型の金属板２５の離間保持部１５が主に荷重を分散する支持板１４として機能する（図１０参照）。
【００７４】
図１７に、コーナ接合金物１１ｂを取り付けた軸材７１の端部の一部断面平面図を示す。
【００７５】
差込部１３にとっての主に荷重を分散する支持板１４として機能する部位（支持板１４と離間保持部１５）は、接合された軸材７１や別のコーナ接合金物１１ｂに対して基部１２の外郭を構成する支持板１４と共に、軸材７１やコーナ接合金物１１ｂに対して接触する。
【００７６】
以上のように構成されたコーナ接合金物１１ｂは、例えば軸材７１の端面７１ｅにいずれかの当接面１２ａを当てて、その当接面１２ａに設けられた差込部１３を軸材７１の端に差し込むとともに、差込部１３の貫通穴１３ａにドリフトピン１７を差し込んで軸材７１に対して固定する。必要な当接面１２ａに対して軸材７１の接合を行うとともに、軸パネル５１ｂ同士の接続に際しては、必要に応じてコーナ接合金物１１ｂ同士の接合を行う。コーナ接合金物１１ｂ同士の連結には、コーナ接合金物１１ｂの基部１２に備えた挿通穴２９，３１，１２ｃ又はねじ穴と、取り付け部材を用いる（図１７参照）。
【００７７】
コーナ接合金物１１ｂと軸材７１やコーナ接合金物１１ｂ同士の接合状態においては、前述した引き寄せ接合金物１１ａの場合と同様に、基部１２を構成する複数枚の支持板１４が差込部１３と一体の離間保持部１５で離間保持されており、基部１２にかかる荷重は、離間保持部１５を介して２枚の支持板１４や、別の差込部１３を有する離間保持部１５に分散される。しかも、２枚の支持板１４は離間保持部１５で間隔をあけて保持されているので、荷重の分散は良好である。
【００７８】
このため、過大な負荷が局所的にかかることを抑制し、コーナ接合金物１１ｂの固定強度を高めることができる。また、固定強度を高められるので、固定強度が同程度の接合金物に比べて、コーナ接合金物１１ｂの簡素化や軽量化を図ることができる。
【００７９】
また、コーナ接合金物１１ｂは、３本以上の軸材７１を接続可能であるとともに、コーナ接合金物１１ｂ同士の接続も可能であり、高い固定強度を有しながらも建築用パネル５１の多様な組み合わせに対応できる。
【００８０】
引き寄せ接合金物１１ａとコーナ接合金物１１ｂは、前述のように高い固定強度を得られるので、例えば図１８〜図２１に示したような、大型の軸パネル５１ｃの形成にも用いることができる。大型の軸パネル５１ｃは、前述のような構成を有する小型の軸パネル５１ｂを基本構造として構成されたものである。ここで、大型とは、複数間（けん）に及ぶような幅や複数階に及ぶような高さを有することの意味である。
【００８１】
図１８の軸パネル５１ｃは、外周フレーム５２の内側の上端部の全幅にわたって水平補強部５３を備え、この水平補強部５３の長手方向の中間部に、水平補強部５３を下から支える２本の垂直補強部５４を備えている。垂直補強部５４は平行に配設される２本の縦軸材５７とこれら縦軸材５７の間に保持される面材５８で構成される。２本の垂直補強部５４は水平方向に間隔をあけて形成され、垂直補強部５４同士の間における上下方向の中間部には、開口部６７が形成されている。
【００８２】
図１９の軸パネル５１ｃは、図１８の軸パネル５１ｃと異なり、左右方向の一方の端にも垂直補強部５４を備えている。端に備える垂直補強部５４は、外周フレーム５２を構成する軸材７１が存在するので、用いる縦軸材５７は１本でよい。図示は省略するが、左右方向の両方の端に垂直補強部５４を備えてもよい。
【００８３】
図２０の軸パネル５１ｃは、図１８の軸パネル５１ｃと同様に、上端部の水平補強部５３を２本の垂直補強部５４で支える構成であるが、２本の垂直補強部５４は水平補強部５３を横からも支える構造である点で、図１８の軸パネル５１ｃとは異なる。
【００８４】
つまり、垂直補強部５４を構成する２本の縦軸材５７のうちの一方の縦軸材５７を水平補強部５３に対して、束材６１のように食い込ませて、水平補強部５３を構成する横軸材５５を分断して、横軸材５５の端面を縦軸材５７の側面に固定している。
【００８５】
図２１の軸パネル５１ｃは、小型の軸パネル５１ｂを複数枚連結して構成される。各軸パネル５１ｂは、互いに連結し合う部分に外周フレーム５２があらかじめ備えられている。
【００８６】
具体的には、３枚の軸パネル５１ｂを左右に連結して構成される。軸パネル５１ｂは、少なくとも連結し合う部分、つまり図面左端の軸パネル５１ｂの場合には右端に外周フレーム５２の軸材７１を有し、図面左右方向中間の軸パネル５１ｂは左右両端に軸材７１を有し、図面右端の軸パネル５１ｂは左端に軸材７１を有している。また、それら縦に延びる軸材７１の上下両端位置には、コーナ接合金物１１ｂを備えている。
【００８７】
軸パネル５１ｂ同士の連結は、図２２に拡大して示したように、少なくともコーナ接合金物１１ｂ同士と、対向する軸材７１同士の間で行う。コーナ接合金物１１ｂ同士の連結は、コーナ接合金物１１ｂの基部１２に備えた挿通穴２９，３１又はねじ穴と、取り付け部材を用いる。
【００８８】
軸材７１同士の連結は、適宜の手段で行える。図２２の例では、連結し合う軸材７１にそれぞれ固定したボルト３２を軸材７１に形成した切り欠き部３３で露出させて、ボルト３２同士を切り欠き部３３内に位置させる長ナット３４で連結する構造を示している。軸材７１同士の連結は、図示例のように１か所ではなく、複数個所で行ってもよい。このほか、水平補強部５３の横軸材５５を固定している引き寄せ接合金物１１ａ同士を連結してもよい。
【００８９】
図２１の例では大型の軸パネル５１ｃを構成するパネルがすべて、水平補強部５３と垂直補強部５４を備えた軸パネル５１ｂである例を示したが、他の構造のパネルを混在させたものであってもよい。
【００９０】
以上の構成はこの発明を実施するための一形態であって、この発明は前述の構成のみに限定されるものではなく、その他の構成を採用することができる。
【００９１】
例えば、差込部１３を平行に離間配置された複数枚の板部で構成したり、離間保持部１５も複数の意の板部で構成したりすることもできる。
【００９２】
差込部１３の貫通穴１３ａは、上に向けて切り欠かれた形状に形成して、接続する軸材７１を落とし込んで、軸材７１に内蔵したドリフトピン１７を係合する構成とすることもできる。
【００９３】
差込部１３の向きは、前述のように当接面１２ａに対して垂直であるほか、傾斜させて、例えば筋交いのような斜材の接合に適するものとすることも可能である。
【００９４】
複数の当接面１２ａを設ける場合に、隣接する当接面１２ａ同士の角度を直角以外の角度にすることもできる。
【００９５】
接合金物１１は、軸材に対して一部を埋設した態様で固定するものであってもよい。
【００９６】
建築用パネル５１の構成については、前述の説明では水平補強部５３を一段だけ形成して、横方向のみに展開するような例を示したが、複数の水平補強部５３を上下方向に配設して、縦方向に展開するような構成としてもよい。
【符号の説明】
【００９７】
１１…接合金物
１１ａ…引き寄せ接合金物
１１ｂ…コーナ接合金物
１２…基部
１２ａ…当接面
１２ｂ…ねじ穴
１２ｃ…挿通穴
１３…差込部
１５…離間保持部
２９，３１…挿通穴
５１…建築用パネル
５１ａ…枠パネル
５１ｂ，５１ｃ…軸パネル
５５…横軸材
５７…縦軸材
５５ｃ，５７ｃ…内側端面
７１…軸材
７１ｅ…最も外側の端面
【図１】
2020076228.tif 000003
【図２】
2020076228.tif 000004
【図３】
2020076228.tif 000005
【図４】
2020076228.tif 000006
【図５】
2020076228.tif 000007
【図６】
2020076228.tif 000008
【図７】
2020076228.tif 000009
【図８】
2020076228.tif 000010
【図９】
2020076228.tif 000011
【図１０】
2020076228.tif 000012
【図１１】
2020076228.tif 000013
【図１２】
2020076228.tif 000014
【図１３】
2020076228.tif 000015
【図１４】
2020076228.tif 000016
【図１５】
2020076228.tif 000017
【図１６】
2020076228.tif 000018
【図１７】
2020076228.tif 000019
【図１８】
2020076228.tif 000020
【図１９】
2020076228.tif 000021
【図２０】
2020076228.tif 000022
【図２１】
2020076228.tif 000023
【図２２】
2020076228.tif 000024
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
木造軸組建築物を構成する線部材と同等の軸材の長手方向の端に取り付けられる基部と、
前記基部における前記軸材の端面に当接する当接面に設けられて前記軸材の長手方向に延びる差込部を備え、
前記基部に別体の取り付け部材を挿通する挿通穴または前記取り付け部材が螺合するねじ穴の少なくとも一方が設けられ、
前記基部が、前記差込部の長手方向に沿って隙間をあけて配設された複数枚の支持板と、
前記差込部から延設されるとともに前記差込部と一体で前記支持板間を離間保持する離間保持部で構成され、
前記離間保持部に、内部に前記挿通穴または前記ねじ穴を有する筒状の部材が、前記支持板で挟まれた状態で一体に設けられた
接合金物。
【請求項２】
前記差込部と前記離間保持部が一枚の金属板で構成され、
前記支持板が、前記離間保持部の外側縁に前記差込部側の部位よりも低く形成された段差部に嵌めて一体に設けられた
請求項１に記載の接合金物。
【請求項３】
前記基部の前記当接面が前記軸材の断面形状よりも小さく形成され、
前記基部が前記軸材の長手方向の端に対して相対変位不可に埋設されるものである
請求項１または請求項２に記載の接合金物。
【請求項４】
複数の前記支持板の外側縁の輪郭形状が互いに同一大同一形状である
請求項１から請求項３のうちいずれか一項に記載の接合金物。
【請求項５】
請求項１から請求項４のうちいずれか一項に記載の接合金物を備えた
建築用パネル。
【手続補正２】
【補正対象書類名】明細書
【補正対象項目名】０００７
【補正方法】変更
【補正の内容】
【０００７】
そのための手段は、木造軸組建築物を構成する線部材と同等の軸材の長手方向の端に取り付けられる基部と、前記基部における前記軸材の端面に当接する当接面に設けられて前記軸材の長手方向に延びる差込部を備え、前記基部に別体の取り付け部材を挿通する挿通穴または前記取り付け部材が螺合するねじ穴の少なくとも一方が設けられ、前記基部が、前記差込部の長手方向に沿って隙間をあけて配設された複数枚の支持板と、前記差込部から延設されるとともに前記差込部と一体で前記支持板間を離間保持する離間保持部で構成され、前記離間保持部に、内部に前記挿通穴または前記ねじ穴を有する筒状の部材が、前記支持板で挟まれた状態で一体に設けられた接合金物である。